(57)【要約】【課題】  メガネフレームのツル取付け構造であって、ツルそのものを必要に応じて交換することが出来るように、又メガネフレームの購入時に好みのツルが自由に選択可能なように構成したメガネフレームのツル取付け構造の提供。【解決手段】  ツル５はフロント部両側に設けられるヨロイ３と継手部４を介して折畳み可能に連結するツル本体７と該ツル本体に取付けられる交換ツル部８とで構成され、ツル本体７には嵌入溝１２を設けると共に該嵌入溝１２を塞ぐ板バネ１３を取付け、板バネ先端にはピン１６を起立してツル本体７に設けた穴からボタン１７として一部突出させ、一方の交換ツル部８には端部から嵌入片１１を延ばし、該嵌入片１１を嵌入溝１２に嵌めて板バネ１３のバネ力にて押圧され、そして板バネ１３と嵌入片１１とが互いに係止する係止手段を設けている。【選択図】    図３
2007024955.tif 000002
【特許請求の範囲】
【請求項１】
メガネフレームのツル取付け構造において、ツルはフロント部両側に設けられるヨロイと継手部を介して折畳み可能に連結するツル本体と該ツル本体に取付けられる交換ツル部とで構成され、ツル本体には嵌入溝を設けると共に該嵌入溝を塞ぐ板バネを取付け、板バネ先端にはピンを起立してツル本体に設けた穴からボタンとして一部突出させ、一方の交換ツル部には端部から嵌入片を延ばし、該嵌入片を嵌入溝に嵌めて板バネのバネ力にて押圧され、そして板バネと嵌入片とが互いに係止する係止手段を設けたことを特徴とするメガネフレームのツル取付け構造。
【請求項２】
上記ツル本体と交換ツル部との間に飾りパーツを介在した請求項１記載のメガネフレームのツル取付け構造。
【請求項３】
上記係止手段として、板バネと嵌入片には互いに係合する凹部と凸部を設けた請求項１、又は請求項２記載のメガネフレームのツル取付け構造。
【請求項４】
上記交換ツル部を樹脂製とし、内部に埋着している芯金を延ばして嵌入片とした請求項１、請求項２、又は請求項３記載のメガネフレームのツル取付け構造。
【発明の詳細な説明】
【技術分野】
【０００１】
本発明は手軽に交換することが出来るように構成したメガネフレームのツル取付け構造に関するものである。
【背景技術】
【０００２】
メガネは視力が低下した人がこれを矯正の為に着用するものであるが、掛ける場所が顔であることから、色々な装飾が施されている。近年の金属製メガネフレームはチタン材など非常に軽くてバネ製に優れた材質が好まれ、長時間にわたってメガネを掛けていても疲れが少ないように工夫されている。しかし、このような材質が好まれる背景には、メガネフレームとしての単なる機能性だけでなくスリムなメガネフレームとして構成出来るといった外観的な満足度が得られる点も大きい。
【０００３】
このようにメガネフレーム自体がファッション性を備えて構成されることは勿論であるが、さらにカラーメッキしたり、印刷を施したり、片隅に宝石等の装飾部品を取付ける等の工夫が凝らされている。ところで、従来の装飾部品はメガネフレームのツルやフロント部に取着されるが、カシメにて固定したり、ロウ付けしたり、又はネジ締め等の手段が採用されている。
【０００４】
しかし、ネジ止めやカシメにて装飾部品を取付ける場合、該装飾部品はメガネフレームとは独立したものとなり、該メガネフレームに組み込まれて一体化した外観とはならない。それに、装飾部品をネジ止めやカシメにて取付けた場合、その交換は容易でなく、半永久的なものと成ってしまう。特開２００１−２４２４２６号に係る「メガネのツルに取付ける装飾部品」もその１つであるが、装飾部品の裏側に止着具を設け、該止着具はバネ材から成って概略Ｌ型を成し、先端にはツルの縁に係止する係止部を形成している。
【０００５】
従って、該装飾部品はメガネのツルにワンタッチ方式で取付けることが出来、又簡単に取外し出来る。そして止着具先端には係止部が形成されている為に、一旦取付けした装飾部品はツルから独りでに外れることはない。このように簡単に取付け・取外しが出来る為に、外出時に身に付けるイヤリングや指輪と同じように、何時でも交換して使用出来る。
【０００６】
この装飾部品には裏側に止着具を有し、ツルに係止して取付けた際には該止着具は表面化する為に装飾部品がメガネフレームのツルと調和することなく、あくまでも別部品として取付けられていることが分かる。
【特許文献１】特開２００１−２４２４２６号に係る「メガネのツルに取付ける装飾部品」
【発明の開示】
【発明が解決しようとする課題】
【０００７】
このように、従来の装飾部品を取付けたメガネフレームのツルには上記のごとき問題がある。本発明が解決しようとする課題はこの問題点であり、ツルそのものを必要に応じて交換することが出来るように、又メガネフレームの購入時に好みのツルが自由に選択可能なように構成したメガネフレームのツル取付け構造を提供する。
【課題を解決するための手段】
【０００８】
本発明のメガネフレームのツルは、自由に交換することが出来る取付け構造と成っている。ツルはツル本体と交換ツル部で構成し、ツル本体はフロント部両側に設けているヨロイと継手部を介して折畳み出来るように連結され、交換ツル部はツル本体に連結される。ところで、ツル本体には先端を開口した嵌入溝が継手部付近まで設けられ、交換ツル部には嵌入溝に嵌る嵌入片が設けられている。
【０００９】
上記嵌入片が嵌入溝に嵌るだけでは外れてしまう為に、ツル本体に板バネを設けて嵌入溝に嵌った嵌入片にバネ力を付勢して押圧し、しかも嵌入片が嵌入溝から抜けないように互いに係止する係止手段を設けている。具体的な係止手段としては一方に形成した凹部に他方の凸部が係合する構造とされる。そして、上記板バネ先端にはピンが起立してツル本体の表面から一部突出して押圧ボタンと成っている。
【発明の効果】
【００１０】
本発明のツル取付け構造は、交換ツル部を簡単に交換することが出来るような取付け構造と成っている為に、共通する意匠のフロント部及びツル本体に対して色々なデザインが施された交換ツル部を組み合わせることが出来る。従って、メガネフレームを購入する際には、好みに合った交換ツル部を選択して取付けることが可能と成る。すなわち、色々なデザインが施された複数種類の交換ツル部を準備することで、その中から自由に選択してツル本体に取付けできる。
【００１１】
そして、交換ツル部の取付け構造はツル本体に設けた嵌入溝に嵌入片を嵌め、ツル本体の板バネによって押圧されると共に、係止することで外れることはない。勿論、板バネにより嵌入片が押圧された状態にあり、交換ツル部がガタ付くこともない。交換ツル部を取外すときには、板バネ先端に起立してツル本体表面から突出したボタンを押圧すると共に嵌入溝から引き抜くことが出来る。
【実施例】
【００１２】
図１は縁なしメガネを示しているが、この縁なしメガネとしての基本的な形態は従来と同じであるが、ツルは本発明に係る取付け構造と成っている。両レンズ１，１は連結部材２によって連結され、レンズ１，１の外側にはヨロイ３，３がネジ止めにて取着されている。そして、このヨロイ３，３には継手部４，４を介してツル５，５が折畳み出来るように取付けされ、さらにレンズ１，１の内側には上記連結部材２から延びる脚先端に鼻当てパット６，６が設けられている。
【００１３】
ところで、両レンズ１，１と連結部材２との連結構造、及びレンズ１，１とヨロイ３，３との連結構造は色々知られているが、本発明は具体的な連結構造に関しては限定しないことにする。そして、ツル５を折畳み出来るように取付ける継手部４は蝶番を用いることも可能である。又、フロント部の形態として、同図の縁なしメガネではなく、レンズが嵌る両リムを備え、連結部にて両リムを連結して構成するフロント部構造とすることは自由である。
【００１４】
図２は本発明に係るツル取付け構造を示す実施例であり、（ａ）はツル背面図、（ｂ）は平面図、（ｃ）は正面図を表している。ツル５はツル本体７と交換ツル部８で構成され、ツル本体７は上記ヨロイ３と継手部４を介して連結している。ツル本体７は継手部４から分離しない限り取外すことは出来ないが、交換ツル部８は簡単に取外すことが出来る取付け構造と成っている。そして、同図に示すツル５にはツル本体７と交換ツル部８との間にリング状の飾りパーツ９が取付けられている。
【００１５】
図３はツル５の内部構造を表しているが、交換ツル部８は樹脂製であって内部には金属製の芯金１０が埋着され、この芯金１０は交換ツル部８の端面からツル本体側へ嵌入片１１と成って延びている。ツル本体７にはその先端開口から継手部付近まで延びる嵌入溝１２が設けられ、この嵌入溝１２に上記嵌入片１１が嵌っている。ツル本体７との間に介在するリング状の飾りパーツ９の穴を嵌入片１１は貫通している。
【００１６】
そして、ツル本体７の内側には嵌入溝１２を覆うように板バネ１３が設けられ、嵌入溝１２に嵌っている嵌入片１１に当接すると共に押圧するバネ力を付勢している。板バネ１３の内面には凸部１４が設けられ、一方の嵌入片１１には凹部１５が形成され、該凹部１５に凸部１４が係合した状態にあり、従って該嵌入片１１は嵌入溝１２から抜けないようになる。しかも、板バネ１３のバネ力にて押圧されることで、嵌入片１１がガタ付くこともない。
【００１７】
そして、上記板バネ１３の先端部にはピン１６が起立し、このピン１６はツル本体７に設けた穴から表面側へボタン１７と成って一部突出している。従って、ボタン１７を押圧するならば、板バネ１３は撓み変形して凸部１４は凹部１５から離脱し、嵌入片１１を嵌入溝１２から抜き取ることが出来る。すなわち、交換ツル部８をツル本体７から簡単に取外すことが可能である。交換ツル部８をツル本体７に取付ける場合には、嵌入片１１を嵌入溝１２に挿入すればよく、嵌入片１１の先端が板バネ１３の凸部１４に当ることで該板バネ１３は撓み変形し、板バネ１３の凸部１４の位置に凹部１５が達したところで自然に係合する。
【００１８】
図４は図３のＡ−Ａ断面を示しているように、嵌入溝１２に嵌った嵌入片１１は板バネ１３にて押圧されている。図５はツル本体７と交換ツル部８の連結前の状態を表しているが、樹脂製の交換ツル部８からは芯金が嵌入片１１と成って延び、図３の場合とは逆に嵌入片１１の先端には凹部２０が設けられ、板バネ１３には凸部１８が形成されている。
【００１９】
ここで、板バネ１３のツル本体７への取着方法は限定しないが、図５に示すように基部１９を板バネ１３に設け、該基部１９をツル本体７の内側先端を切欠いてロウ付けしている。勿論、基部１９をネジ止めすることも可能である。そして、交換ツル部８は樹脂製に限定するものではなく、金属製とすることも出来る。この場合には、芯金は存在しない為に端部を細く成形して嵌入片を形成することが出来、又は嵌入片をロウ付けする場合もある。
【図面の簡単な説明】
【００２０】
【図１】本発明のツル取付け構造を備えた縁なしメガネ。
【図２】本発明に係るツル取付け構造を示す実施例。
【図３】ツル取付け構造の断面図。
【図４】図３のＡ−Ａ断面図。
【図５】ツル取付け構造の展開図。
【符号の説明】
【００２１】
１  レンズ
２  連結部材
３  ヨロイ
４  継手部
５  ツル
６  鼻当てパット
７  ツル本体
８  交換ツル部
９  飾りパーツ
10  芯金
11  嵌入片
12  嵌入溝
13  板バネ
14  凸部
15  凹部
16  ピン
17  ボタン
18  凸部
19  基部
20  凹部
【図１】
2007024955.tif 000003
【図２】
2007024955.tif 000004
【図３】
2007024955.tif 000005
【図４】
2007024955.tif 000006
【図５】
2007024955.tif 000007